【手続補正書】
【提出日】平成19年10月18日(2007.10.18)
【手続補正１】
【補正対象書類名】特許請求の範囲
【補正対象項目名】全文
【補正方法】変更
【補正の内容】
【特許請求の範囲】
【請求項１】
−器具使用者のストーマ周辺の皮膚表面に器具を取り付ける、取り付け手段、および
−オストミーパウチアセンブリ、
を有する、ヒトのストーマからの排出物を受けるオストミー器具であって、該オストミーパウチアセンブリが下記を備える、オストミー器具：
−該取り付け手段に取り付けられ、および使用者のストーマを受ける第１開口部を有する、内部パウチ、
−該内部パウチは、可撓性の本体側面または近位内部パウチ側壁、および可撓性の遠位内部パウチ側壁、および周辺に広がる１またはそれ以上の内部パウチシーリングシーム、によって画定される、
−該内部パウチを囲み、該取り付け手段に取り付けられており、およびストーマを受ける第２開口部を有し、この第２開口部は上記第１開口部と位置調整されている、外部パウチ、
−該外部パウチは、可撓性の本体側面または近位外部パウチ側壁、および可撓性の遠位外部パウチ側壁、および周辺に広がる１またはそれ以上の外部パウチシーリングシーム、によって画定される、
−１またはそれ以上のはぎ取り可能な外部パウチシーリングシームによって提供される取り付け力が、１またはそれ以上のはぎ取り可能な外部パウチシーリングシームに対して横方向における遠位外部パウチ側壁の手動の引っ張りによって手動で取り除くことができる程度に、該１またはそれ以上の外部パウチシーリングシームは手動ではぎ取り可能である。
【請求項２】
１またはそれ以上の外部パウチシーリングシームが、前記遠位外部パウチ側壁を、前記遠位内部パウチ側壁に、および前記近位外部パウチ側壁を、前記近位内部パウチ側壁に、はぎ取り可能に取り付ける、請求項１記載のオストミー器具。
【請求項３】
１またはそれ以上の外部パウチシーリングシームが、前記遠位外部パウチ側壁を、前記近位外部パウチ側壁に直接、はぎ取り可能に取り付ける、請求項１または２記載のオストミー器具。
【請求項４】
前記内部パウチが、内部パウチにおいてストーマを受ける開口部の周りに広がる、はぎ取り可能な内面シーリングシームによって、前記取り付け手段に取り付けられている、請求項１〜３いずれかに記載のオストミー器具。
【請求項５】
前記内部パウチ側壁の材料が生物分解性である、請求項１〜４いずれかに記載のオストミー器具。
【請求項６】
前記内部パウチ側壁が、紙、好ましくはトイレットペーパータイプの紙などの不織の繊維状材料のウェブにラミネートされたプラスチックフィルムから作成され、該ウェブが内部パウチの内面に対して外側の見かけをよくする、請求項１〜５いずれかに記載のオストミー器具。
【請求項７】
不織材料および／またはプラスチックフィルムが生物分解性である、請求項６記載のオストミー器具。
【請求項８】
前記内部パウチ側壁が、液体および気体を不浸透性であって臭気を浸透でき、および前記外部パウチ側壁が、液体、気体および臭気を不浸透性である、請求項１〜７いずれかに記載のオストミー器具。
【請求項９】
前記１またはそれ以上の外部パウチはぎ取りシームが、はぎ取り行為開始ゾーンを有し、ここで１またはそれ以上の外部パウチシーリングシームが、予定されるはぎ取り方向に対して反対の方向に、ピークのような広がりのテーパリングを有する、請求項１〜８いずれかに記載のオストミー器具。
【請求項１０】
前記１またはそれ以上の外部パウチはぎ取りシームが、はぎ取り行為終了ゾーンを有し、ここで１またはそれ以上の外部パウチシーリングシームが、予定されるはぎ取り方向においてピークのような広がりのテーパリングを有する、請求項１〜９いずれかに記載のオストミー器具。
【請求項１１】
前記内面内部パウチシーリングシームが、はぎ取り行為開始ゾーンを有し、ここで内面内部パウチシーリングシームが、予定されるはぎ取り方向に対して反対の方向に、ピークのような広がりのテーパリングを有する、請求項１〜４いずれかに記載のオストミー器具。
【請求項１２】
前記内面内部パウチシーリングシームが、はぎ取り行為終了ゾーンを有し、ここで内面内部パウチシーリングシームが、予定されるはぎ取り方向においてピークのような広がりのテーパリングを有する、請求項１〜４いずれかに記載のオストミー器具。
【請求項１３】
前記近位外部パウチ側壁が、ヒートシールされたシーリングシームによって、前記取り付け手段に取り付けられている、請求項１〜１２いずれかに記載のオストミー器具。
【請求項１４】
前記近位外部パウチ側壁が、はぎ取り可能なシーリングシームによって、前記取り付け手段に取り付けられている、請求項１または２記載のオストミー器具。
【請求項１５】
前記取り付け手段が、
第１および第２開口部と位置調整された、ストーマを受ける第３開口部を有する、肌にあたりがよい付着材料のウェハーを有する表側プレートアセンブリ、および
第３開口部を取り巻き、前記ウェハーに取り付けられ、第１および第２開口部を取り巻く第２連結リングと係合し、近位外部パウチ側壁および／または近位内部パウチ側壁に取り付けられている、第１連結リング、
を有する、請求項１〜１４いずれかに記載のオストミー器具。
【請求項１６】
前記近位外部パウチ側壁が、ヒートシールされたシーリングシームによって、第２連結リングに取り付けられている、請求項１５記載のオストミー器具。
【請求項１７】
前記近位内部パウチ側壁が、はぎ取り可能な内面シーリングシームによって、第２連結リングに取り付けられている、請求項１５または１６記載のオストミー器具。
【請求項１８】
前記近位内部パウチ側壁が、はぎ取り可能な内面シーリングシームによって、第１および第２開口部を取り巻く領域において、近位外部パウチ側壁に取り付けられている、請求項１５または１６記載のオストミー器具。
【請求項１９】
前記取り付け手段が、
第１および第２開口部と位置調整された、ストーマを受ける第３開口部を有する、肌にあたりがよい付着材料のウェハーを有する表側プレートアセンブリ、および
第３開口部を取り巻き、前記ウェハーに取り付けられ、そして第１および第２開口部を取り巻く第２連結手段と係合するはぎ取り可能な付着において、近位外部パウチ側壁および／または近位内部パウチ側壁に取り付けられている、第１連結手段、
を有する、請求項１〜１４いずれかに記載のオストミー器具。
【請求項２０】
前記近位外部パウチ側壁が、ヒートシールされたシーリングシームによって、第２連結手段に取り付けられている、請求項１９記載のオストミー器具。
【請求項２１】
前記近位内部パウチ側壁が、はぎ取り可能な内面シーリングシームによって、第２連結手段に取り付けられている、請求項１９または２０記載のオストミー器具。
【請求項２２】
前記近位内部パウチ側壁が、はぎ取り可能な内面シーリングシームによって、第１および第２開口部を取り巻く領域において、近位外部パウチ側壁に取り付けられている、請求項１９または２０記載のオストミー器具。
【請求項２３】
前記取り付け手段が、
第１および第２開口部と位置調整された、ストーマを受ける第４開口部を有する、肌にあたりがよい付着材料のウェハーを有する表側プレートアセンブリ、および
ウェハーの遠位表面に取り付けられ、および近位外部パウチ側壁および近位内部パウチ側壁に取り付けられた、キャリアーシート、
を有する、請求項１〜１４いずれかに記載のオストミー器具。
【請求項２４】
前記近位外部パウチ側壁が、ヒートシールされたシーリングシームによって、キャリアーシートに取り付けられている、請求項２３記載のオストミー器具。
【請求項２５】
前記近位内部パウチ側壁が、内面はぎ取り可能なシーリングシームによって、キャリアーシートに取り付けられている、請求項２３または２４記載のオストミー器具。
【請求項２６】
前記近位内部パウチ側壁が、はぎ取り可能な内面シーリングシームによって、第１および第２開口部を取り巻く領域において、近位外部パウチ側壁に取り付けられている、請求項２３または２４記載のオストミー器具。
【請求項２７】
はぎ取り可能な内面シーリングシームが、ストーマを受ける第５開口部を有し、向かい合った面の両方上に付着剤を有する、フィルムまたは織物のシートによって構成される、請求項４〜２６いずれかに記載のオストミー器具。
【請求項２８】
ストーマを受ける第６開口部を有する環状挿入部が、ストーマの排出物が第２連結リングを汚染することを防ぐために、第２連結リング内に提供される、請求項１５〜２０いずれかに記載のオストミー器具。
【請求項２９】
１またはそれ以上のはぎ取り可能な外部パウチシーリングシームによって提供される取り付け力が、手動によって排除されるのに必要とされる引っ張り力ほどであり、該取り付け力がおよそ０．５ニュートンおよびおよそ６ニュートンの間、好ましくはおよそ０．７ニュートンおよびおよそ５．５ニュートンの間、より好ましくはおよそ０．８ニュートンおよびおよそ５．０ニュートンの間、さらに好ましくはおよそ０．９ニュートンおよびおよそ４．５ニュートンの間、最も好ましくはおよそ１．０ニュートンおよびおよそ４．０ニュートンの間である、請求項１〜２８いずれかに記載のオストミー器具。
【請求項３０】
外部パウチはぎ取り可能なシーリングシームが４および６ｍｍ幅の間、好ましくはおよそ５ｍｍ幅である、請求項１〜２９いずれかに記載のオストミー器具。
【請求項３１】
外部パウチ側壁および内部パウチ側壁の外部周辺のエッジの少なくとも１部が、外部パウチはぎ取り可能なシームのエリアにおいて、側壁を通して切断されることによって形成されている、請求項１〜３０いずれかに記載のオストミー器具。
【請求項３２】
外部パウチ側壁および内部パウチ側壁の１部が、外部パウチはぎ取り可能なシームを超えて広がり、側壁を離してはぎ取るための、内部パウチ側壁および外部パウチ側壁のグリッピングタブを形成する、請求項１〜３１いずれかに記載のオストミー器具。
【請求項３３】
外部パウチはぎ取り可能なシームが、熱および／またはＲＦを、外部パウチ側壁の片方または両方の外部表面に適用することによって作成される、請求項６〜３２いずれかに記載のオストミー器具。
【請求項３４】
隣接した外部パウチはぎ取り可能なシームによって覆われたエリアに広がる、内部パウチ側壁グリッピングタブの各エリアが、外部パウチはぎ取り可能なシームの形成の前に、熱および／またはＲＦの適用に供されている、請求項３３記載のオストミーパウチ。
【請求項３５】
紙の繊維の有意な部分が概して均一な配向を有し、および該配向は、外部および内部パウチの頂点から底辺に延びるラインに対して横方向であり、そしてストーマのまわりにパウチが設けられているものの使用者がまっすぐに立った場合に、該配向が好ましくは該ラインに対して概ね直交する、請求項６〜３４いずれかに記載のオストミー器具。
【請求項３６】
請求項１〜３５いずれかに記載のオストミー器具において用いられる、オストミーパウチアセンブリ。
【請求項３７】
請求項１〜３５いずれかに記載のオストミー器具において用いられる、内部パウチ。
【請求項３８】
請求項３６記載のオストミーパウチアセンブリにおいて用いられる内部パウチ。
【請求項３９】
請求項１〜３５いずれかに記載のオストミー器具の使用後における、オストミーパウチアセンブリを処理する方法であって、下記工程を包含する方法：
−遠位外部パウチ側壁のエッジ部分を握る工程、
−器具残部に対する、１またはそれ以上のはぎ取り可能な外部パウチシーリングシームそれぞれによる遠位外部パウチ側壁の取り付けが、破壊される程度に、遠位外部パウチ側壁のエッジ部分を、近位外部パウチ側壁から引き離す工程、
−遠位および近位内部パウチ側壁の重ねられたエッジ部分を手動で握る工程、
−はぎ取り可能なシーリングシームそれぞれによる器具残部に対する内部パウチの取り付けが破壊される程度に、重ねられたエッジ部分を、近位外部パウチ側壁から引き離す工程、および
−内容物を含む内部パウチを、便器に処分する工程。
【請求項４０】
遠位外部パウチ側壁のエッジ部分を、使用者の本体から引き離すのに加えられる引っ張り力であって、および重ねられたエッジ部分を使用者の本体から引き離す場合に加えられる引っ張り力は、およそ０．５ニュートンおよびおよそ６ニュートンの間、好ましくはおよそ０．７ニュートンおよびおよそ５．５ニュートンの間、より好ましくはおよそ０．８ニュートンおよびおよそ５．０ニュートンの間、さらに好ましくはおよそ０．９ニュートンおよびおよそ４．５ニュートンの間、最も好ましくはおよそ１．０ニュートンおよびおよそ４．０ニュートンの間である、請求項３９記載の方法。
【請求項４１】
紙、好ましくはトイレットペーパータイプの紙の、不織の繊維状材料のウェブにプラスチックフィルムをラミネートして作成された、可撓性の複合フィルムの使用であって、
オストミー器具の内部パウチおよび外部パウチの間の、はぎ取り可能なシーリングシームを提供することを目的とし、内部パウチは外部パウチによって取り巻かれおよび囲まれており、そして内部パウチの側壁は、内部パウチの内面に対して外観をよくするウェブを有する、複合フィルムから作成されている、
使用。